(57)【特許請求の範囲】
【請求項１】
機器本体と、該機器本体に対して回転可能に取付けられた表示部と、前記機器本体に対する該表示部の回転を検出する手段と、該検出手段の検出結果により前記表示部の画面の向きを切り換える手段とを含み、
前記表示部は前記機器本体との間に設けた少なくとも１つのピボット軸を中心に３６０°回転可能で、該ピボット軸を中心とする前記表示部と前記機器本体との間の相対的な回転によりＯＮ／ＯＦＦするスイッチを備え、
前記スイッチは、前記ピボット軸を中心として相対回転する一方の部材にカムを設け、
他方の部材に該カムに常時接触し且つ該カムの回転に応じて軸方向に移動するカム受けを設け、該カム受けの軸方向の移動によりスイッチＯＮ／ＯＦＦ動作をするように構成されていることを特徴とする小型携帯用情報処理装置。
【請求項２】
機器本体と、該機器本体に対して回転可能に取付けられた表示部と、
前記機器本体に対する該表示部の回転を検出する手段と、該検出手段の検出結果により前記表示部の画面の向きを切り換える手段とを含み、
前記表示部は前記機器本体との間に設けた少なくとも１つのピボット軸を中心に３６０°回転可能で、該ピボット軸を中心とする前記表示部と前記機器本体との間の相対的な回転によりＯＮ／ＯＦＦするスイッチを備え、
前記スイッチは、前記ピボット軸を中心として相対回転する一方の部材にカムを設け、
他方の部材に該カムに常時接触し且つ該カムの回転に応じて軸方向に移動するカム受けを設け、前記カムと前記カム受けの一方の側に凹部、他方の側に凸部を設け、カム受けが軸方向に移動してスイッチ素子に接触した後、前記凹部と凸部とが嵌合してカム受けがスイッチ素子から離れるように構成されていることを特徴とする小型携帯用情報処理装置。
【請求項３】
前記スイッチは、表示部が機器本体に対して閉じられた状態から３６０°に近い角度回転した時点でスイッチＯＮ／ＯＦＦの動作をするように構成されていることを特徴とする請求項１又は２に記載の装置。
【請求項４】
前記スイッチは、前記ピボット軸を中心として相対回転する一方の部材に突起部を設け、他方の部材に該突起の回転方向の移動により動作するセンサスイッチを設けたことを特徴とする請求項１〜３のいずれか１項に記載の装置。
【請求項５】
前記スイッチは、前記機器本体に対する表示部の回転位置を磁気的又は光学的に検出するスイッチであることを特徴とする請求項１〜３のいずれか１項に記載の装置。
【請求項６】
前記表示部は、文字又は図形等の表示機能と接触による情報入力機能とを有する液晶タッチパネルを具備することを特徴とする請求項１〜５のいずれか１項に記載の装置。
【請求項７】
前記機器本体部はキーボード部を有し、該機器本体に対する前記表示部の相対回転により、前記キーボード部をロック又は機能停止状態とすることを特徴とする請求項１〜６のいずれか１項に記載の装置。
【発明の詳細な説明】
【０００１】
【発明の属する技術分野】
本発明は小型携帯用情報処理装置に関する。特に本発明は、携帯用の卓上電子計算機（電卓）、コンピュータ、ワードプロセッサ、電子手帳等の小型携帯用装置であって、液晶等からなる画面表示部を有する小型携帯用の情報処理装置に関する。
【０００２】
【従来の技術】
この種の携帯用装置において、小型化・軽量化・携帯性に加えてペン等で操作する際に操作し易い装置が要求されている。このため、機器本体の側にキーボード部を設け、タッチパネル式の入力部を兼ねる液晶表示部が機器本体にヒンジにより枢動可能に連結され、この液晶表示部を機器本体に対し３６０°回転可能としたものがある。この装置では、液晶表示部を見ながらキーボード部で操作することもでき、或いは液晶表示部を機器本体に対し３６０°回転させて液晶表示部を直接ペン等で入力操作することもできるようになっている。
【０００３】
図１６（ａ）、（ｂ）に従来のこの種の携帯用装置を斜視図で示し、（ａ）はキーボード部で操作するべく液晶表示部を開放した状態、（ｂ）は液晶表示部を３６０°回転させて液晶表示面を上側にしてペン入力を可能にした状態をそれぞれ示す。図において、１は機器本体、２は機器本体の上面に設けられたキーボード部、３は表示面がタッチパネルで構成されたカバー兼用の液晶表示部、４はペン、５はヒンジ部材で２つのピボット軸５ａ及び５ｂを有する。
【０００４】
図示のように、液晶表示部３は２つのピボット軸５ａ、５ｂを有するヒンジ部材５により機器本体１に連結されている。詳しくは、液晶表示部３の後縁にヒンジ部材５はその一方の側のピボット軸５ａが連結され、このヒンジ部材５の他方のピボット軸５ｂが機器本体１の後縁に連結されている。
そして、図１６（ａ）に示すように、液晶表示部３をキーボード部２に対して所定の角度（鈍角）となる位置では、液晶表示部３を見ながらキーボード部２で入力操作をすることができる。また、図１６（ｂ）に示すように、液晶表示部３を機器本体１に対し閉じた状態から３６０°回転させて液晶表示部３の裏面を機器本体１の裏面に接触する状態とし、タッチパネルの液晶表示部３をペン４で入力できる位置とすることもできる。
【０００５】
液晶表示部３は略長方形の形態であるが、図１６（ａ）の状態では図示のように装置を横長の形態として液晶表示部３を見ながらキーボード部２により指で操作するのが好適であり、また図１６（ｂ）の状態では装置を縦長の形態として液晶表示部３をペン等で操作するのが好適である。
そこで、従来、図１７（ａ）及び（ｂ）に示すように、液晶表示部３に画面切り換え部７を設け、ペン４の先端でこの画面切り換え部７を軽く押圧することで、液晶表示部３の画面を約９０°回転させて向きを切り換える。もう一度画面切り換え部７を押圧すると、元の状態の戻るようになっている。また、キーボード部２をロックする場合も、同様にロック用のマーク（図示せず）を押圧することにより、キーボード部をロック又は機能停止の状態とされ、もう一度押圧することによりキーボード部のロック又は機能停止が解除されるようになっていた。
【０００６】
また、他の従来例として特開昭６２−６２９８号公報、特開昭６２−１７７８６号公報には、マトリックスパネル（液晶表示部）を機器本体に対して３６０°回転可能とし、マトリックスパネルに当たる光量により透過光反射型と透過直視型のいずれかに切り換えるようにした小型画像表示装置が開示されている。
【０００７】
【発明が解決しようとする課題】
図１６及び図１７に示した従来の情報処理装置によると、液晶表示部３の画面を切り換えるのにその都度ペン４の先端で画面上の切り換え部７を押圧しなければならず、また元の画面の状態に戻す際もその都度ペン４の先端で画面上の切り換え部７を押圧しなければならず、操作が煩わしく面倒であった。
【０００８】
また、特開昭６２−６２９８号公報、特開昭６２−１７７８６号公報に記載された従来例では、マトリックスパネル（液晶表示部）に当たる光量により透過光反射型と透過直視型のいずれかに自動的に変わるようになっているが、小型画像表示装置の使用形態によって画面の向きが変更するものではない。
したがって、本発明は、ペン操作等を全くする必要がなく、機器本体に対して液晶表示部を回転させてその装置の使用形態を変更する際に自動的に液晶表示部の画面の向きを変更することのできる小型携帯用情報処理装置を提供することを課題とする。
【０００９】
更に、本発明は、機器本体に対して液晶表示部を回転させてその装置の使用形態を変更する際に自動的に、機器本体側のキーボード等の所定部分をロック又は機能停止することのできる小型携帯用情報処理装置を提供することを課題とする。
【００１０】
【課題を解決するための手段】
上記の課題を達成するために、本発明の第１の形態によれば、機器本体と、該機器本体に対して回転可能に取付けられた表示部と、前記機器本体に対する該表示部の回転を検出する手段と、該検出手段の検出結果により前記表示部の画面の向きを切り換える手段とを含み、前記表示部は前記機器本体との間に設けた少なくとも１つのピボット軸を中心に３６０°回転可能で、該ピボット軸を中心とする前記表示部と前記機器本体との間の相対的な回転によりＯＮ／ＯＦＦするスイッチを備え、前記スイッチは、前記ピボット軸を中心として相対回転する一方の部材にカムを設け、他方の部材に該カムに常時接触し且つ該カムの回転に応じて軸方向に移動するカム受けを設け、該カム受けの軸方向の移動によりスイッチＯＮ／ＯＦＦ動作をするように構成されていることを特徴とする小型携帯用情報処理装置が提供される。
さらに、本発明の第２の形態によれば、機器本体と、該機器本体に対して回転可能に取付けられた表示部と、前記機器本体に対する該表示部の回転を検出する手段と、該検出手段の検出結果により前記表示部の画面の向きを切り換える手段とを含み、前記表示部は前記機器本体との間に設けた少なくとも１つのピボット軸を中心に３６０°回転可能で、該ピボット軸を中心とする前記表示部と前記機器本体との間の相対的な回転によりＯＮ／ＯＦＦするスイッチを備え、前記スイッチは、前記ピボット軸を中心として相対回転する一方の部材にカムを設け、他方の部材に該カムに常時接触し且つ該カムの回転に応じて軸方向に移動するカム受けを設け、前記カムと前記カム受けの一方の側に凹部、他方の側に凸部を設け、カム受けが軸方向に移動してスイッチ素子に接触した後、前記凹部と凸部とが嵌合してカム受けがスイッチ素子から離れるように構成されていることを特徴とする小型携帯用情報処理装置が提供される。
そして、本発明の第１或いは第２の形態によれば、表示部を機器本体に対して回転させ、その使用形態を変更した際は自動的に表示部の画面を切り換えることができ、操作が簡便化される。
【００１１】
前記表示部は前記機器本体との間に設けた少なくとも１つのピボット軸を中心に３６０°回転可能で、該ピボット軸を中心とする前記表示部と前記機器本体との間の相対的な回転によりＯＮ／ＯＦＦするスイッチを設けたことを特徴とする。これによれば、スイッチのＯＮ／ＯＦＦにより自動的に表示部の画面の切り換えが行われる。
【００１２】
前記スイッチは、表示部が機器本体に対して閉じられた状態から３６０°に近い角度回転した時点でスイッチＯＮ／ＯＦＦの動作をするように構成されていることを特徴とする。これによれば、例えば、表示部の画面でのみ入力操作する状態となれば、自動的に表示部の画面の切り換えが行われる。
前記スイッチは、前記ピボット軸を中心として相対回転を生ずる一方の部材にカムを設け、他方の部材に該カムに常時接触し且つ該カムの回転に応じて軸方向に移動するカム受けを設け、該カム受けの軸方向の移動によりスイッチＯＮ／ＯＦＦの動作をするように構成されていることを特徴とする。
【００１３】
この場合において、前記カムと前記カム受けの一方の側に凹部、他方の側に凸部を設け、カム受けが軸方向に移動してスイッチ素子に接触した後、前記凹部と凸部とが嵌合してカム受けがスイッチ素子から離れるように構成することもできる。これによれば、カム受けが一旦スイッチ素子に接触した後、スイッチ素子から離れるので、カム受けとスイッチ素子との接触の都度ＯＮ／ＯＦＦが切り換わるようにされる。
【００１４】
前記スイッチは、前記ピボット軸を中心として相対回転を生ずる一方の部材に突起部を設け、他方の部材に該突起の回転方向の移動により動作するセンサスイッチを設けたことを特徴とする。
前記スイッチは、前記機器本体に対する表示部の回転位置を磁気的又は光学的に検出するスイッチであることを特徴とする。これによれば、機械的なスイッチ機構を用いないので、機構部分や可動部分の少ないスイッチを得られる。
【００１５】
前記表示部は、文字又は図形等の表示機能と接触による情報入力機能とを有する液晶タッチパネルを具備することを特徴とする。機器本体側にキーボード等の入力手段がある場合は、タッチパネルとキーボードの両方からの入力操作が可能となる。
前記機器本体部はキーボード部を有し、該機器本体に対する前記表示部の相対回転により、前記キーボード部をロック又は機能停止状態とすることを特徴とする。これによれば、表示部を機器本体に対して回転させ、その使用形態を変更した際は自動的に所定部分の機能が停止されるので、例えばキーボード等に不用意に触れた場合に生ずるような誤操作等を未然に防止するすることができる。
【００１６】
【発明の実施の形態】
以下、図１〜図７を参照して本発明の小型携帯用情報処理装置の第１実施形態について詳細に説明する。まず、図１及び図２は装置全体の斜視図で、図１はキーボード部で操作するべく液晶表示部を開放した状態、図２は液晶表示部を３６０°回転させて液晶表示面に対するペン入力を可能にした状態をそれぞれ示す。これらの図において、１は機器本体、２は機器本体の上面に設けられたキーボード部、３は表示面がタッチパネルで構成されたカバー兼用の液晶表示部、４はペン、５はヒンジ部材で２つのヒンジ軸５ａ及び５ｂを有する。
【００１７】
液晶表示部３は、図１６に示した従来例と同様、２つのピボット軸５ａ、５ｂを有するヒンジ部材５により機器本体１に連結されている。詳しくは、液晶表示部３の後縁にヒンジ部材５はその一方の側のピボット軸５ａが連結され、このヒンジ部材５の他方のピボット軸５ｂが機器本体１の後縁に連結されている。
そして、図１に示すように、液晶表示部３をキーボード部２に対して所定の角度（鈍角）となる位置では、液晶表示部３を見ながらキーボード部２で入力操作をすることができる。また、図２に示すように、液晶表示部３を機器本体１に対し閉じた状態から３６０°回転させて液晶表示部３の裏面を機器本体１の裏面に接触する状態とし、液晶表示部３をタッチパネルとして機能させペン４で直接液晶表示部３に対して入力できる位置とすることもできる（図２では液晶表示部３のタッチパネル画面は裏面にある）。
【００１８】
液晶表示部３は略長方形の形態であるが、図１の状態では装置を横長の形態として液晶表示部３を見ながらキーボード部２により指で操作するのが好適であり、また図２の状態では装置を縦長の形態として液晶表示部３をペン等で操作するのが好適である。
図３（ａ）、（ｂ）は、液晶表示部３を機器本体１に対して閉じている不使用の状態（ａ）から、２つのピボット軸５ａ、５ｂを有するヒンジ部材５により機器本体１に対して矢印Ａ方向に３６０°回転させて液晶表示部をペン入力が可能な状態とする（ｂ）過程を示す。これらの図から理解されるように、液晶表示部３が機器本体１に対して３６０°回転される間に、ヒンジ部材５の各ピボット軸５ａ、５ｂはヒンジ部材５に対してそれぞれ１８０°づつ回転する。
【００１９】
図４は本発明の第１実施形態に係る液晶表示部の画面の向きを変えるためのスイッチ機構を示す断面図であり、（ａ）はスイッチＯＦＦの状態、（ｂ）はスイッチＯＮの状態を示す。このスイッチ機構１０は例えば液晶表示部３とヒンジ部材５との間のヒンジ軸５ａの部分に形成することができる。
スイッチ機構１０は液晶表示部３の側に固定されている本体部２０、ヒンジ部材５の側に固定されている回転部、この回転部の回転に応じて軸方向に移動するスライド部から成る。回転部は、ヒンジ部材５に固定して設けられる軸１１、この軸１１の先端に固定して設けられるカム１２、このカム１２の回転を許容し軸方向の移動を阻止するためのフランジ１３からなる。スライド部は、カム１２に接触するカム受け１４、このカム受け１４に固定され且つこのこのカム受け１４の軸方向の移動を許容し回転を阻止するガイド板１５、カム受け１４に固定された軸１６から成る。なお、ガイド板１５は、図５に示すように、軸１６との干渉を避けるために軸心からオフセットした位置に設けられている。
【００２０】
また、本体部２０は、軸１１を回転可能に支承する軸受部２１、フランジ１３を回転可能に案内し且つ軸方向の移動を阻止する環状のガイド溝２２、ガイド板１５を軸方向に移動可能に案内し且つ回転を阻止する軸方向ガイド溝２３、軸１６の軸方向の移動を許容するように支承する軸受部２４、軸１６の軸方向の移動によりこの軸１６に接触してスイッチ機能を果たすスイッチ素子２５を具備する。また、カム受け１４を常時カム１２に接触して状態の保つためのスプリング２６が軸受部２４の壁部とカム受け１４との間に軸１６に沿って設けられている。
【００２１】
前述のように、液晶表示部３を機器本体１に対し閉じた状態から３６０°回転させると、ヒンジ部材５の各ピボット軸５ａ、５ｂはそれぞれ１８０°づつ回転する。また、カム１２とカム受け１４の当接面は互いに傾斜した面又は螺旋状の面を有する。したがって、この動作の間にカム１２はカム受け１４に関し、１８０°回転する。カム受け１４はその回転が阻止されているので、カム１２により軸方向に押されて図の矢印Ｂ方向に軸方向に移動し、１８０°に近い所定角度回転すると、軸１６の先端がスイッチ素子２５と接触し、図４（ｂ）に示すようにスイッチＯＮとなる。液晶表示部３を機器本体１に対し元の状態、例えば図１の状態に戻す際はこのスイッチはＯＦＦとなる。
【００２２】
なお、このスイッチ機構１０は、ヒンジ部材５の液晶表示部３側のピボット軸５ａではなく、機器本体１側ののピボット軸５ｂに適用することも可能である。また、スイッチ機構の本体部２０と、回転部（カム１２）とを逆に配置する、例えば、本体部２０をヒンジ部材５の側とし、回転部（カム１２）を液晶表示部３又は機器本体１の側とすること可能である。
【００２３】
なお、液晶表示部３を機器本体１に対し３６０°回転させる際に、ヒンジ部材５の２つのピボット軸５ａ、５ｂの一方が先に１８０°回転し、他方（このスイッチ機構１０を組み込む側）がその後１８０°回転し、逆方向に回転させる時はこの他方が先に、前記一方が後に回転するように各ピボット軸５ａ、５ｂの回転トルクを調整しておくことも可能である。
【００２４】
図６は、図４に示したカム１２とカム受け１４の変形例を示すものである。カム１２とカム受け１４の当接面は互いに傾斜した面又は螺旋状の面を有する点は同じであるが、この変形例では、カム１２とカム受け１４の一方に凹部１２ａ、他方に凸部１４ａを対応して設け、軸１６の先端が一旦スイッチ素子２５に接触した後は凹部１２ａと凸部１４ａとが互いに係合して軸１６の先端がスイッチ素子２５から離れる構造とした。この場合のカム１２のスイッチ本体１０に対する回転角と軸１６のストロークとの関係を図６（ｂ）に示す。ただし、軸１６の先端が一旦スイッチ素子２５に接触した後に同スイッチ素子２５から離れても、スイッチはＯＮの状態を持続する。逆の動作をする場合は、カム１２の凹部１２ａとカム受け１４の凸部１４ａとは互いに乗り越えて、軸１６の先端が一旦スイッチ素子２５に接触してスイッチをＯＦＦとし、その後は同スイッチ素子２５から離れる。この場合も、軸１６が一旦スイッチ素子２５に接触した後のそこから離れてもＯＦＦの状態を持続する。
【００２５】
スイッチ機構１０がＯＦＦの状態では、液晶表示部３の画面は図１に示すように横長の形態となる。したがって、図の状態のように、液晶表示部３を見ながらキーボード部２により指で操作するのが好適である。一方、スイッチ機構１０がＯＮの状態では、液晶表示部３の画面は図２に示すように縦長の形態となる。したがって、タッチパネルの液晶表示部３をペン等で操作するのが好適な状態となる（なお、図２では液晶表示部３は裏面にある）。
【００２６】
図７は上述した実施形態の動作を示すフローチャートである。まず、この装置の主電源（図示せず）をＯＮ（ステップ101 ）として、画面切り換え用スイッチ１０の状態を見る（ステップ102 ）。スイッチが接触している時（ステップ103 ）は画面切り換え信号を送り（ステップ104 ）、液晶表示部３の画面が９０°回転し（ステップ105 ）、その他の必要な処理を行って（ステップ106 ）、ステップ102 を戻る。スイッチが接触していない時は画面の状態を最初に見た状態のままとし（ステップ107 ）、他の必要な処理を行い（ステップ106 ）、ステップ102 に戻る。
【００２７】
次に、図８〜図１５を参照して本発明の小型携帯用情報処理装置の第２実施形態について詳細に説明する。図８は液晶表示部３を機器本体１に対して３６０°回転させて液晶表示面を上側にしてペン入力を可能にした状態、図９及び図１０は液晶表示部３を閉じた状態を示す。図９（ｂ）は図９（ａ）のＣの部分の拡大斜視図である。
【００２８】
図９（ａ）及び（ｂ）に示すように、液晶表示部３の裏面（表示画面とは反対側）にはヒンジ部材５の近傍位置にセンサスイッチ３０が設けられている。一方、回転側であるヒンジ部材５にはセンサスイッチ３０の接触部３１に干渉する軌跡の位置に突起部３２を形成する。
図９及び図１０に示すように、液晶表示部３を機器本体１に対して閉じた状態では、センサスイッチ３０の接触部３１とヒンジ部材５の突起部３２との間は１８０°近く離れた角度の関係にあって、突起部３２は接触部３１と干渉せず、したがってスイッチはＯＦＦの状態である。
【００２９】
図１１及び図１２は、それぞれ図９及び図１０に対応する図であるが、液晶表示部３を機器本体１に対して図９及び図１０の閉位置から、３４６°回転させた状態（機器本体１と液晶表示部３との間は１４°の状態）を示す。この状態では、センサスイッチ３０の接触部３１とヒンジ部材５の突起部３２との間は図９及び図１０の閉位置から１８０°近くまで回転した状態であり、突起部３２はセンサスイッチ３０の接触部３１を押圧し、スイッチをＯＮとした状態である。
【００３０】
センサスイッチ３０がＯＮ、ＯＦＦの切り換えを行う時の機器板１に対する液晶表示部３の角度は、突起部３２の位置を変えることで適宜選定することができる。例えば、図１３は、図１１及び図１２の状態から液晶表示部３を機器本体１に対して更に回転させ角度を３５５°回転させた状態（機器本体１と液晶表示部３との間を５°とした状態）でスイッチが切り換えが行われるようにした。また、図１４は、図１１及び図１２の状態から液晶表示部３と機器本体１との間が３５°となった時に、突起部３２がセンサスイッチ３０の接触部３１に接触し、スイッチが切り換えが行われるようにした。
【００３１】
なお、前述の第１実施形態と同様に、センサスイッチ３０及び突起部３２をそれぞれ機器本体１側、ヒンジ部材５側に設けることも可能である。また、センサスイッチ３０をヒンジ部材５側に、突起部３２を液晶表示部３又は機器本体１の側に設けることも可能である。
センサスイッチ３０がＯＮの状態では例えばキーボードロックが実行され、センサスイッチ３０がＯＦＦの状態ではキーボードロックが解除される。なお、キーボードロックをかける際は、機器本体１のキーボード部２（図２）のすべてのキーを一斉に機能停止となるようにしても良いが、一部のキーのみが機能停止となるようにしても良い。
【００３２】
或いはまた、キーボードロックを実行する代わりに、装置に対するある種の行動、例えば、ペン入力、キーボードによる信号入力の全部又は一部を無視したり、或いは画面表示の全部又は一部を機能停止する、その他種々の状態にすることができる。
図１５は上述した第２実施形態の動作を示すフローチャートである。まず、この装置の主電源（図示せず）をＯＮ（ステップ201 ）として、キーボード入力ロックスイッチ１０の状態を見る（ステップ202 ）。スイッチが接触している時（ステップ203 ）はキーボード入力ロック信号を送り（ステップ204 ）、キーボード入力ロックを実行し、（ステップ205 ）、画面での操作のみが可能な状態となり（ステップ206 ）、その他の処理を実行して（ステップ207 ）、ステップ202 を戻る。スイッチが接触していない時はキーボード入力ロックを実行せず、したがってキーボード及び画面の両者で入力が可能な状態とし（ステップ208 ）、他の必要な処理を行い（ステップ207 ）、ステップ202 に戻る。
【００３３】
以上、添付図面を参照して本発明の実施形態について詳細に説明したが、本発明は上記の実施形態に限定されるものではなく、本発明の精神ないし範囲内において種々の形態、変形、修正等が可能であることに留意すべきである。
例えば、スイッチ機構は、前述のように、機械的なスイッチではなく、例えば機器本体に対する液晶表示部の相対的な回転位置を磁気的又は光学的に検出するスイッチであっても良い。この場合は、機械的なスイッチ機構を用いないので、機構部分や可動部分の少ないスイッチとなる。
【００３４】
【発明の効果】
以上に説明したような、本発明によれば、機器本体に対して液晶表示部を回転させてその装置の使用形態を変更する際は、ペン操作等の特別の煩わしい操作をすることなく、自動的に液晶表示部の画面の向きを変更する。したがって、掌の上に装置をもって液晶表示部を回転させて縦長の状態とすると、そのまま画面による操作が開始でき、極めて簡単で迅速に操作を行うことができる。
【００３５】
また、機器本体に対して液晶表示部を回転させてその装置の使用形態を変更する際に自動的に、機器本体側のキーボード等の所定部分の機能を停止できる。したがって、画面による操作中に何かがキーボードに触れて誤操作を生ずる等の不具合を解消することができる。
【図面の簡単な説明】
【図１】本発明の第１実施形態の装置で液晶表示部を開放した状態の斜視図である。
【図２】図１の装置で液晶表示部を３６０°回転させた状態の斜視図である。
【図３】液晶表示部を機器本体１に対して閉じている不使用の状態（ａ）及び３６０°回転させてペン入力の可能な状態（ｂ）を示す。
【図４】本発明の第１実施形態の画面切り換えスイッチ機構を示す断面図であり、（ａ）はスイッチＯＦＦの状態、（ｂ）はスイッチＯＮの状態を示す。
【図５】図４のＡ−Ａ断面図である。
【図６】図４に示したカムとカム受けの変形例（ａ）及びその動作（ｂ）を示す。
【図７】第１実施形態の動作を示すフローチャートである。
【図８】本発明の第２実施形態で液晶表示部を機器本体に対して３６０°回転させた状態の斜視図である。
【図９】第２実施形態で液晶表示部を閉じた状態の斜視図（ａ）、及びＣの部分の拡大斜視図（ｂ）である。
【図１０】第２実施形態で液晶表示部を閉じた状態の側面図である。
【図１１】図９（ａ）及び（ｂ）に対応する図であるが、液晶表示部と機器本体との間の角度を変えた状態を示す。
【図１２】図１１の状態の側面図である。
【図１３】図１２の状態から更に角度を変えた場合の側面図である。
【図１４】図１３の状態から更に角度を変えた場合の側面図である。
【図１５】本発明の第２実施形態の動作を示すフローチャートである。
【図１６】従来の携帯用装置を斜視図で、液晶表示部を開放した状態（ａ）及び液晶表示部を３６０°回転させた状態（ｂ）を示す。
【図１７】液晶表示部の画面を９０°回転させる前（ａ）及び後（ｂ）の状態を示す。
【符号の説明】
１…機器本体
２…キーボード部
３…液晶表示部
４…ペン
５…ヒンジ部材
１０…スイッチ機構
１１…軸
１２…カム
１３…フランジ
１４…カム受け
１５…ガイド板
１６…軸
２０…スイッチ本体
２１…軸受部
２２…環状ガイド溝
２３…軸方向ガイド溝
２４…軸受部
２５…スイッチ素子
２６…スプリング
３０…センサスイッチ
３１…接触部
３２…突起部
【図１】
0003676891.tif 000002
【図２】
0003676891.tif 000003
【図３】
0003676891.tif 000004
【図４】
0003676891.tif 000005
【図５】
0003676891.tif 000006
【図６】
0003676891.tif 000007
【図７】
0003676891.tif 000008
【図８】
0003676891.tif 000009
【図９】
0003676891.tif 000010
【図１０】
0003676891.tif 000011
【図１１】
0003676891.tif 000012
【図１２】
0003676891.tif 000013
【図１３】
0003676891.tif 000014
【図１４】
0003676891.tif 000015
【図１５】
0003676891.tif 000016
【図１６】
0003676891.tif 000017
【図１７】
0003676891.tif 000018